(57)【特許請求の範囲】
【請求項１】
地中電線路の中間における地中ケーブル導体接続部の絶縁補強体を被覆する保護管であって、
管軸方向に半割された１対の金属製の半割管体からなり、
これらの半割管体は前記方向両側に半田付けにより互いに接合される２つ割り面をそれぞれ備え、前記１対のうちの一方の半割管体の中間部分には、前記２つ割り面の外側端縁に固定されたずれ防止手段が管軸方向に平行に、かつそれぞれの一側縁が突出するように固定され、該ずれ防止手段の突出した部分の対向する内面は他方の半割管体の外周面にそれぞれ当接するように構成されてなることを特徴とする地中ケーブル接続部保護管。
【請求項２】
前記地中ケーブル接続部は直線接続部またはY分岐接続部であり、該ケーブル接続部の種類に応じて前記半割管体は、その管軸方向一端の端面に１口または２口のケーブル挿通用の開口が設けられてなる請求項１に記載の保護管。
【請求項３】
前記地中電線路は特別高圧配電線路である請求項１又は２に記載の保護管。
【発明の詳細な説明】
【技術分野】
【０００１】
本発明は、地中配電線路における地中電力ケーブル（以下、地中ケーブルという。）の接続部を保護するために用いられる地中ケーブル接続部保護管に関する。
【背景技術】
【０００２】
都市中心部などでは、景観の重視その他の理由から配電線路の地中化が進められている。このような地中配電線路では、近年の電力需要の増加などから、高圧電力ケーブルが主に用いられており、亘長が長くなると、当該地中配電線路の中間において、地中ケーブルの端部同士を接続して直線接続部を形成することが行われる。このような直線接続部は、通常、以下の３つの工程を経て形成されるのが一般的である（例えば特許文献１参照）。
（１）接続しようとする地中ケーブルの端部にそれぞれ露出された導体を導体接続管の両側から挿入して、その状態で当該導体接続管を圧縮して導体接続部を形成する。
（２）前記胴体接続部の上に、地中ケーブルの内部半導電性層、絶縁層、外部半導電性層、金属遮蔽層に相当する層を順次形成して絶縁補強体を形成する。
（３）前記絶縁補強体を覆うようにして保護管を設け、該保護管内に防水コンパウンドを充填するとともに、その外側の防水処理を行う。
また、この直線接続部に類似する提案もいくつかなされている（例えば、特許文献２参照）。
【先行技術文献】
【特許文献】
【０００３】
【特許文献１】実開昭６３−２９３３８号公報
【特許文献２】特開２０００−３５４３２１号公報
【発明の概要】
【発明が解決しようとする課題】
【０００４】
この接続手順で用いられる保護管は、管軸方向に対して直角な方向の接合面によって分割される２つの金属管を当該接合面を合わせて半田付けにより接合される。このような保護管を用いる場合、予め接続しようとする各地中ケーブルに当該各金属管をそれぞれ挿入しておく必要があり、これを怠ると、接続補強部分を保護管で覆うことが不可能となる。また、このような直線接続は、マンホールやハンドホールなどの複数の地中ケーブルが輻輳した狭いスペースで作業を行うことが多く、地中ケーブルに金属管を挿入する際に必要なスペースを確保することが困難な場合がある。
【０００５】
そこで、本発明は、前記課題に鑑み、接続される地中ケーブルの端部にそれぞれ金属管をあらかじめ挿入したり、挿入作業のためにスペースを確保する必要がなく、地中ケーブル導体接続部の絶縁補強体を容易かつ効率的に被覆できる地中ケーブル接続部保護管を提供することを目的とする。
【課題を解決するための手段】
【０００６】
前記目的は、本発明によれば、地中電線路の中間における地中ケーブル導体接続部の絶縁補強体を被覆する保護管であって、管軸方向に半割された１対の金属製の半割管体からなり、これらの半割管体は前記方向両側に半田付けにより互いに接合される２つ割り面をそれぞれ備え、前記１対のうちの一方の半割管体の中間部分には、前記２つ割り面の外側端縁に固定されたずれ防止手段が管軸方向に平行に、かつそれぞれの一側縁が突出するように固定され、該ずれ防止手段の突出した部分の対向する内面は他方の半割管体の外周面にそれぞれ当接するように構成されてなることを特徴とする地中ケーブル接続部保護管によって達成される。
【発明の効果】
【０００７】
本発明によれば、地中ケーブル接続部保護管を管軸方向に半割された１対の金属製の半割管体から構成し、これらの半割管体を組み合わせたときにそれぞれが前記方向両側に備える２つ割り面で互いに接合可能とすることとしたので、従来のような地中ケーブルの端部への保護管の挿入作業のためのスペースを確保する必要がなく、その結果マンホール内などのケーブルが錯綜した狭隘な場所での地中ケーブル接続部の保護が容易となり、作業性も向上する。
【図面の簡単な説明】
【０００８】
【図１】本発明の地中ケーブル接続部保護管の実施形態の一例を示す図である。
【図２】本発明の地中ケーブル接続部保護管を用いて形成された直線接続部の一例を示す図である。
【図３】従来の地中ケーブル接続部保護管の一例を示す図である。
【発明を実施するための形態】
【０００９】
以下、添付の図１および図２を参照して、本発明の地中ケーブル接続部保護管の実施形態について詳細に説明する。なお、本発明の地中ケーブル接続部保護管は、以下の実施形態に限定れない。
【００１０】
図１は、本発明の地中ケーブル接続部保護管の実施形態の一例を示す図である。この図に示すように、本発明の地中ケーブル接続部保護管１は、２つの金属製半割管体５、６からなる。それぞれの半割管体５、６の管壁は、中央が大径の断面略半円をなし、両端寄りでそれぞれ縮径され、両端部分は中央よりも小径の断面略半円をなしている。管壁をこのような形状とすることで、各半割管体５，６の中間部分に相対的に大径の略半円柱状の空間が形成され、また両端部分には当該空間に連通し、管軸方向両端に向けて開口する相対的に小径の空間が形成されるので、半割管体５，６を組み合わせた管体の内部に地中ケーブル導体接続部の絶縁補強体を納められるようになる。
【００１１】
半割管体５、６の管壁周方向両端には、２つ割り面７、８がそれぞれ設けられており、これらを互いに対向させて接合することで、１個の管体が形成される。半割管体６の中央の外周には、その両側の端縁に帯状のずれ防止片９、９が管軸方向に平行に、かつそれぞれの一側縁が前記両側の端縁から突出するように固定され、ずれ防止手段として機能するようになっている。なお、ずれ防止手段は、少なくとも一方の半割管体５（または６）の両側縁に配設することができる。ずれ防止手段としては、図１に示すような帯状片に限られず、さらに小型の細片を半割管体の両側縁にそれぞれ１個または複数個取り付けるようにしてもよい。
【００１２】
半割管体５、６を形成する金属材料としては、これらの半割管体５、６を組み合わせることで、地中ケーブルの導体接続部に形成された絶縁補強体をさらに補強できれば、公知の各種金属材料のうちから半田との適合性や加工性などを考慮して適宜選択することができる。なお、半割管体５、６のいずれか一方または双方の管壁には、必要に応じて、適宜の位置に防水コンパウンド注入口、接地端子などを設けることができる。
【００１３】
次に、本発明の地中ケーブル接続部保護管を用いて形成された直線接続部の一例を示す図２を参照して、本発明の地中ケーブル接続部保護管の使用方法について説明する。なお、この図の直線接続部において、図の上半分は断面図である。
【００１４】
本発明の地中ケーブル接続部保護管を使用するに当たっては、接続しようとする地中ケーブルの端部に露出した導体を接続し、その上を絶縁補強し、絶縁補強体を形成しておく。ここで、地中ケーブルとしては、架橋ポリエチレン絶縁ビニルシースケーブル（ＣＶケーブル）、単心のＣＶケーブルを３条撚り合わせたトリプレックス型のＣＶケーブル（ＣＶＴケーブル）、油浸紙絶縁ケーブル（ＯＦケーブル）、エチレンプロプレン絶縁ネオプレン防食ケーブル（ＥＰケーブル）などの公知の高圧用または特別高圧用の各種電力ケーブルが挙げられる。なお、図２に示す例では、地中ケーブルＷ１，Ｗ２は、例えば２２ｋＶ特別高圧用のＣＶケーブルであるものとする。
【００１５】
地中ケーブルＷ１，Ｗ２のそれぞれの端部を段剥きして中心に露出させた導体を導体接続管２０の両端の開口からそれぞれ挿入した後に公知の圧縮工具（不図示）を用いて当該導体接続管２０を圧縮して導体接続部を形成する。そうして、地中ケーブルＷ１，Ｗ２の段剥き部分に当該導体接続部から互いに離隔する方向に順次露出する内部半導電層、絶縁体層、外部半導電層、遮蔽層の間をそれぞれ連続させるように、導体接続部の上に半導電性融着テープ２１、絶縁テープ２２、半導電性融着テープ２４、導電性テープ２５を順次層状に巻き付ける。各テープは、少しずつ重ねるように巻き付けるのがよい。また、特に絶縁テープについては所定の厚さとなるまで巻き付ける。さらにその上に軟銅線などの導電性の線材２６を巻きつけることで、絶縁補強体が形成される。この線材は、絶縁補強体の長さ方向両端において長めに巻き残し部分を設けておく。
【００１６】
このようにして形成された絶縁補強体の下側に、本発明の地中ケーブル接続部保護管の一方の半割管体５（または６）を配置する。その際、その半割管体の中間部分における大径の開口に当該絶縁補強体が収まるようにする。この場合、半割管体５（または６）をその開口が下向きとなるように絶縁補強体の上側に載せ、その周りを回して配置することができるので、従来のような管体の地中ケーブル端部への挿入のための作業スペースは不要となる。
【００１７】
次に、絶縁補強体の両側に配置される上向きの２つ割り面７（または８）に、他方の半割管体６（または５）の２つ割り面８（または７）を突き合わせるように、開口を下向きにした当該半割管体を上からかぶせて管状に形成する。その際、いずれか一方の半割管体の中間部分にずれ防止片（図１、符号９参照）を設けておくことにより、２つの半割管体５、６が互いにすれることがない。なお、前記導電性線材の巻き残し部分は、半割管体の長さ方向両側にはみ出すようにする。
【００１８】
その後、２つの半割管体５、６の両側の２つ割り面に沿って半田付けするとともに、保護管１の両側からはみ出させた導電性の線材２６の端部を保護管１の外周に半田付けして固定する。こうして得られる本発明の地中ケーブル接続部保護管１の小径の両端部分を所定の工具を用いて変形させ、その内周が地中ケーブルＷ１、Ｗ２の外周に密着するようにする。そして、保護管１の外面に設けられている防水コンパウンド注入口から防水コンパウンドを注入し、これにより絶縁補強体と保護管１との隙間を充填する。最後に、この保護管１の外周に防水テープ３５を巻き付けてこれを完全に被覆し、防水処理を施す。この防水テープ３５は、絶縁補強体の長さ方向両側では厚く巻き付け、ここから保護管１の内部への水分や湿分の侵入を確実に防止できるようにする。
【００１９】
以上説明したように、本発明の地中ケーブル接続部保護管は、その管軸方向に沿った２つ割り面で互いに接合可能な２つの半割管体で構成したので、従来のような地中ケーブルへの保護管挿入作業や、そのための作業スペースの確保が不要となる。その結果、ケーブル類が錯綜する狭隘な場所においても地中ケーブルの接続作業を容易に行うことができ、作業性向上に著しく貢献するものである。また、半割管体にずれ防止手段を設けることで、半田付けにより接合するまでの間、２つの半割管体が互いにずれるのを防止することができる。
【００２０】
なお、本発明の地中ケーブル接続部保護管は、前記の直線接続部への使用に限られず、例えば地中ケーブルのＹ分岐接続にも使用できる。この場合、本発明の地中ケーブル接続部保護管は、２つの半割管体を組み合わせた場合に、管軸方向一端の端面には地中ケーブル挿通用の開口が１口形成され、他端の端面には、ケーブル挿通用の開口が２口形成される態様のものを用いるのが好ましい。さらに１本の地中ケーブルから３条以上の複数のケーブルを分岐させる必要がある場合には、本発明の地中ケーブル接続部保護管の他端の端面に分岐させるケーブル条数に相当する口数の開口が形成されるようにすればよい。
【産業上の利用可能性】
【００２１】
本発明の地中ケーブル接続部保護管は、高圧または特別高圧の地中ケーブル接続部を被覆してこれを保護するのに有効である。
【符号の説明】
【００２２】
１    地中ケーブル接続部保護管
５，６    半割管体
５ａ、６ａ、５ｅ、６ｅ    両端部分
５ｂ、６ｂ，５ｄ、６ｄ    縮径部分
５ｃ、６ｃ    中間部分
７，８    ２つ割り面
９    ずれ防止片（手段）
【図１】
0005496592.tif 000002
【図２】
0005496592.tif 000003
【図３】
0005496592.tif 000004